(57)【特許請求の範囲】
【請求項１】
建物の開口部下防水構造であって、
外壁材と、前記外壁材の裏面側の建築躯体との間に通気層が形成されると共に前記通気層には建物外部と連通する通気口が設けられ、前記建築躯体の面積に対する前記通気口の開口面積の合計が６５ｃｍ２／ｍ２以上である開口部が前記建物に設けられ、
前記開口部の下側枠部とその下側枠部に近接している前記外壁材との間に形成された隙間に皿板水切り材が設けられると共に前記皿板水切り材の下側に前記外壁材の上端部が覆われるように見切り材が設けられ、
前記開口部の縦枠部の側面から前記外壁材裏面側に亘って目板材が取り付けられており、
前記目板材は、前記縦枠部の側面に固着される縦辺と、前記外壁材裏面側に配置される横辺とにより断面略Ｌ字状に形成され、
前記横辺には前記外壁材裏面に当接する凸状部が少なくとも２条形成され、
前記縦辺と、前記縦辺に最も近い側の凸状部との間に、水を建物外部へ排出するための排水路が建物外部と連通するように形成されており、
前記目板材は前記開口部の上側枠部の上部に更に設けられ、
前記上側枠部の上部に設けられた目板材の端部は、前記縦枠部の端部に設けられた目板材の上端部と重なっており、
前記上側枠部の上部に設けられた目板材の排水路から前記縦枠部の端部に設けられた目板材の排水路を通じて前記水を前記建物外部へ排出させることを特徴とする開口部下防水構造。
【請求項２】
前記開口部の上側枠部の上方には水切り板が設けられ、
前記水切り板の側端部が、前記縦枠部の端部に設けられた目板材の排水路の上方に近接するように配設されていることを特徴とする請求項１に記載の開口部下防水構造。
【請求項３】
前記縦枠部の端部に設けられた目板材の下端部が、前記皿板水切り材に近接するように設けられていることを特徴とする請求項１又は２に記載の開口部下防水構造。
【発明の詳細な説明】
【技術分野】
【０００１】
本発明は、建物の外壁等に設けられる開口部下の防水性に優れる開口部下防水構造に関する。
【背景技術】
【０００２】
従来、建物の外壁構造においては、図６に示すように、隣り合う左右の外壁材１０間や、外壁材１０と窓等の開口部３０との間にシーリング材４０を設けることで、防水性を確保する方法が知られている。例えば、シーリング材４０として、定形シーリング材、又は不定形シーリング材を用いることで高い防水性を確保している。
【０００３】
また、外壁材１０及び開口部３０との間に防水シートを張るようなシーリング材４０を簡略化した構造により、建物内部への漏水を防ぐ方法も提案されている（例えば、特許文献１等を参照）。
【先行技術文献】
【特許文献】
【０００４】
【特許文献１】特開２０００−２４０３６０号公報
【発明の概要】
【発明が解決しようとする課題】
【０００５】
上記のような建物の外壁構造においては、シーリング材４０の部分あるいはシーリング材４０と開口部３０との境界部分が、年月を経ると外壁材１０に比べて劣化しやすく、劣化した部分から雨水などが浸水するなどして防水性を悪化させる場合があった。また、シーリング材４０によって隣り合う外壁材１０間を密閉する必要があり、施工に手間がかかる場合があった。また、シーリング材４０の部分にひびや割れなどが生じると、外壁の外観を損ね、意匠性が悪くなるおそれがあった。
【０００６】
また、特許文献１のように、シーリング材４０を簡略化して防水シートを張った場合でも、やはり防水シートが劣化してしまったりすると、雨水等が毛管現象により建物内部へ浸入してしまうことがあった。そして、このように浸入した水は、外壁材１０側が防水シートにより遮水されているために建物外部へ排出されにくくなり、結果として建築躯体等に腐食や変形等の損傷を与えたり、室内側へ漏出したりしてしまう原因となっていた。
【０００７】
本発明は上記の点に鑑みてなされたものであり、建物の外壁材にシーリング材を使用しなくとも外壁材の裏面側への水の浸入を抑制し、開口部下側の防水性を高めることができる開口部下防水構造を提供することを目的とするものである。
【課題を解決するための手段】
【０００８】
本発明に係る開口部下防水構造は、建物の開口部下防水構造であって、外壁材と、前記外壁材の裏面側の建築躯体との間に通気層が形成されると共に前記通気層には建物外部と連通する通気口が設けられ、前記建築躯体の面積に対する前記通気口の開口面積の合計が６５ｃｍ２／ｍ２以上である開口部が前記建物に設けられ、前記開口部の下側枠部とその下側枠部に近接している前記外壁材との間に形成された隙間に皿板水切り材が設けられると共に前記皿板水切り材の下側に前記外壁材の上端部が覆われるように見切り材が設けられ、前記開口部の縦枠部の側面から前記外壁材裏面側に亘って目板材が取り付けられており、前記目板材は、前記縦枠部の側面に固着される縦辺と、前記外壁材裏面側に配置される横辺とにより断面略Ｌ字状に形成され、前記横辺には前記外壁材裏面に当接する凸状部が少なくとも２条形成され、前記縦辺と、前記縦辺に最も近い側の凸状部との間に、水を建物外部へ排出するための排水路が建物外部と連通するように形成されており、前記目板材は前記開口部の上側枠部の上部に更に設けられ、前記上側枠部の上部に設けられた目板材の端部は、前記縦枠部の端部に設けられた目板材の上端部と重なっており、前記上側枠部の上部に設けられた目板材の排水路から前記縦枠部の端部に設けられた目板材の排水路を通じて前記水を前記建物外部へ排出させることを特徴とする。
【００１０】
また、上記開口部下防水構造は、前記開口部の上側枠部の上方には水切り板が設けられ、前記水切り板の側端部が、前記縦枠部の端部に設けられた目板材の排水路の上方に近接するように配設されていることが好ましい。
【００１１】
また、上記開口部下防水構造は、前記縦枠部の端部に設けられた目板材の下端部が、前記皿板水切り材に近接するように設けられていることが好ましい。
【発明の効果】
【００１２】
本発明の開口部下防水構造によれば、建物の外壁材にシーリング材を使用しなくとも外壁材の裏面側への水の浸入を抑制して雨水等を効率良く外部へ排出することができる。
【図面の簡単な説明】
【００１３】
【図１】本発明の建物の開口部下防水構造の実施の形態の一例を示す概略図であり、（ａ）は開口部の正面図、（ｂ）は開口部下付近の側面垂直断面図、（ｃ）は（ｂ）の拡大図を示す。
【図２】同上の他の実施の形態の一例を示し、開口部上端の端部付近の横断面図を示す。
【図３】同上の他の実施の形態の一例を示し、開口部上端付近の側面垂直断面図である。
【図４】同上の他の実施の形態の一例を示し、（ａ）はその正面概略図、（ｂ）はその一部の拡大図である。
【図５】本発明の開口部下防水構造を有する建物の一例を示す側面視断面図である。
【図６】従来例を示す建物の正面図である。
【発明を実施するための形態】
【００１４】
以下、本発明を実施するための形態を説明する。
【００１５】
図１は、本発明の開口部下防水構造の実施形態の一例を示す。図１（ａ）に示すように、建物の外壁材１０に開口部３０が形成されている。開口部３０の外周には、左右端部の一対の縦枠部２１、２１と、上側枠部２２と、下側枠部２３とで構成された方形状の枠材２０が設けられている。また、枠材２０と外壁材１０との境界部分には、隙間１５が形成されている。さらに、下側枠部２３の下方には、皿板水切り材５が建物の外側へ突出するように設けられている。皿板水切り材５の横幅Ｌ１は、開口部３０の左右の隙間１５と接する外壁側端部間の距離Ｌ２よりも長く形成されている。
【００１６】
図１（ｂ）は、開口部３０の下側の側面垂直断面図を示している。本発明の開口部下防水構造では、下側枠部２３と、下側枠部２３の下面に近接している外壁材１０ａとの間の隙間１５に皿板水切り材５が設けられている。下側枠部２３と、下側枠部２３に近接している外壁材１０ａとの間の隙間１５の厚みは特に限定されないが、例えば、３〜１５ｍｍにすることができる。さらに、皿板水切り材５と下側枠部２３下方の外壁材１０ａとの間には、見切り材７が設けられており、その外壁材１０ａの上端部を被覆するように配設されている。
【００１７】
皿板水切り材５は、例えば、金属等の平板が屈曲加工されて形成されたものである。皿板水切り材５の端部には取り付け部５ａが形成されており、さらに、取り付け部５ａの先端が屈曲されて、長尺略平板状の皿板水切り部５ｂが形成されている。皿板水切り部５ｂの先端がさらに略垂直に屈曲加工されて水切り前片５ｃが形成されている。
【００１８】
取り付け部５ａは、下側枠部２３の下側の壁下地１７に取り付けられるものであって、その取り付けあたっては、取り付け部５ａと壁下地１７との間にはパッキン材等が介されていても良い。また、皿板水切り部５ｂは、下側枠部２３と外壁材１０ａとの間に配置されており、建物外部へ外壁材１０よりも突出するように下り傾斜に形成されている。そして、水切り前片５ｃは外壁材１０ａの前方で外壁材１０ａと対向するように配置されている。
【００１９】
一方、見切り材７は、金属等の平板が屈曲加工されて断面略逆Ｕ字状に形成されたものである。見切り材７の一方の端部には後方覆い片７ｃが設けられており、この後方覆い片７ｃの先端が略垂直に屈曲されて頂部７ｂが形成され、さらに頂部７ｂの先端が略垂直に屈曲されて後方覆い片７ｃと対向するように前方覆い片７ａが形成されている。
【００２０】
そして、見切り材７は、外壁材１０ａの上端面を被覆するように配置されている。具体的には、頂部７ｂが外壁材１０ａの上端面と対向するように見切り材７が配置され、前方覆い片７ａは、外壁材１０ａの表面側上部と対向し、後方覆い片７ｃは外壁材１０ａの裏面側上部と対向するように位置している。また、後方覆い片７ｃは、胴縁１６に固着されている。尚、胴縁１６は、壁下地１７を介して内壁部１８に取り付けられている。
【００２１】
上記のように、開口部３０と外壁材１０ａとの間に形成された隙間１５に皿板水切り材５を設けると共に、外壁材１０ａの上端面を被覆するよう見切り材７を配置することで、外壁材１０ａ裏面側に雨水等の水が浸入することを防止できる。すなわち、本発明の開口部下防水構造では、開口部３０の下側の隙間１５にシーリング材４０等を設けることなく、雨水等に対する防水性を高めることができるものである。そのため、水による構造躯体等への腐食や変形等の損傷や、あるいは室内側へ水の漏出を抑制できるものである。
【００２２】
ここで、図１（ｃ）に示すように、外壁材１０ａと前方覆い片７ａとの最短距離をａ、外壁材１０ａと後方覆い片７ｃとの最短距離をｂ、外壁材１０ａの上端面から頂部７ｂまでの最短距離をｅ、前方覆い片７ａの短辺長さと前記ｅとの差をａ、頂部７ｂの短辺長さをｄ、前方覆い片７ａと水切り前片５ｃの最短距離をｆとする。この場合、ａは０〜９ｍｍ、ｂは０〜３ｍｍ、ｃは１０ｍｍ以上、ｅは０〜１０ｍｍであることが好ましく、この範囲であれば外壁材１０ａの裏面側に雨水等による水が浸入するのをさらに防ぎやすくなり、防水性をいっそう高めることが可能となる。尚、ｄは、ａ、ｂ寸法と外壁材１０の厚みからおのずと決定される。ｆ寸法は特に限定されず、外壁材１０ａの表面から水切り前片５ｃとの距離が３０ｍｍ以上確保されるように設定されるのが好ましい。
【００２３】
上記のようにａ〜ｆの寸法が比較的幅広く設定できるので、本発明の開口部下防水構造では、見切り材７の形状を様々に設計することが可能となり、また、外壁材１０ａと見切り材７との納まり設計の自由度が増し、非常に有用な施工法となる。
【００２４】
尚、皿板水切り材５及び見切り材７の取り付け状態が安定するために、後方覆い片７ｃと取り付け部５ａとを架けるように支持部材７ｄが設けられていても良い。
【００２５】
図２は、開口部３０の側端部付近の横断面（水平断面）を示しており、縦枠部２１の端面から縦枠部２１に隣接する外壁材１０の裏面側に亘って目板材１が、少なくとも縦枠部２１の全長に亘って設けられている。目板材１は、断面略Ｌ字状に屈曲加工されたものであり、縦枠部２１の外側端面に密着される縦辺１ａと、外壁材１０の裏面側に配置される横辺１ｂとが形成されている。さらに、横辺１ｂには、平板部１ｄ及び少なくとも２条の凸状部２とが横辺１ｂの全長に亘って形成されている。この凸状部２の形状は、例えば、図示のように、断面略逆Ｖ字状に形成されるものである。
【００２６】
そして、凸状部２の先端部分は、外壁材１０の裏面側に当接していると共に、平板部１ｄは内壁部１８に壁下地１７を介して取り付けられた胴縁１６に固着されている。一方、縦辺１ａは、縦枠部２１の端面に密着固定されているが、縦辺１ａと縦枠部２１との間には防水テープ等の水密材２９が介在されていることが好ましい。
【００２７】
目板材１の下端部は、皿板水切り材５の皿板水切り部５ｂ表面上まで延伸しており、この場合、目板材１の下端部が皿板水切り部５ｂの表面と当接していても良いし、若干の空隙を有していても良い。一方、目板材１の上端部は、少なくとも縦枠部２１の上端まで延伸しているものである。
【００２８】
さらに、縦辺１ａと、縦辺１ａに最も近い側の凸状部２（図示では２ａ）との間の空隙は、排水路３として、目板材１の全長に亘って形成され、排水路３は、その上下端部や側部が建物の外部と連通している。
【００２９】
尚、図２では開口部３０の一方の端部のみの構造を示しているが、他方の端部も同じ構成のものである。
【００３０】
上記のように構成されることで、隙間１５から雨水等の水が浸入したとしても排水路３を通じて、建物外部へ排出することが可能となる。すなわち、上側枠部２２の上方の隙間１５から水が浸入した場合、大部分の水は上側枠部２２の表面を伝って排水路３の上端部に到達し、その後、水は排水路３を通過して、皿板水切り部５ｂに到達し、次いで、皿板水切り部５ｂの表面上を伝って、建物外部へ排出されるものである。すなわち、図１（ａ）に示した破線矢印の経路に沿って浸入した水が建物外部へ排出されるものである。
【００３１】
また、凸状部２ａが形成されていることにより、排水路３を流れる水が横方向（横辺１ｂの先端方向）へ浸入することを防止することができる。
【００３２】
さらに、目板材１の下端部が皿板水切り材５の表面と当接していれば、皿板水切り材５に到達した水をより確実に建物外部へ排出することが可能となる。従って、水による建築躯体等への腐食や変形等の損傷や、あるいは室内側へ水の漏出を抑制できるものである。尚、当接していなくても、皿板水切り材５の両端に設ける水返し（エンドキャップ）が皿板水切り材５の側方への水の流れを止める堰として機能し、水を建物外部へ排出することが可能となる。
【００３３】
一方、図３に示しているように、上側枠部２２の上部には、水切り板６を設けることができる。水切り板６は、例えば、金属板等の平板が屈曲加工されて形成されたものである。水切り板６の端部には固着片６ａが形成されており、さらに、固着片６ａの先端が屈曲されて、長尺略平板状の水切り部６ｂが形成されている。水切り部６ｂの先端がさらに略垂直に屈曲加工されて上側枠部覆い片６ｃが形成されている。
【００３４】
固着片６ａは、上側枠部２２の上側に位置する内壁部１８に壁下地１７を介して配設されている胴縁１６に取り付けられ、水切り部６ｂは、上側枠部２２と外壁材１０との間に配置され、外壁材１０よりも突出するように下り傾斜に形成されている。そして、上側枠部覆い片６ｃは上側枠部２２の前面を覆うように位置している。また、水切り部６ｂの両側の水切り側端部６ｄは、排水路３の上端面の上方に近接するように配置されている。
【００３５】
上記のように上側枠部２２の上側に水切り板６を設けることで、開口部３０の上部と外壁材１０との間の隙間１５に外部から浸入する雨水等を、水切り板６により再び、建物外部へ排出することが可能となる。また、水切り部６ｂの水切り側端部６ｄが、排水路３の上方に位置しているので、水切り部６ｂ上の水は排水路３へ流入することもでき、この場合は、上記と同じように水は排水路３を通じて、開口部下側の皿板水切り材５により、建物外部へ排出される。
【００３６】
図４（ａ）は、本発明の開口部下防水構造の他の実施の形態を示す正面図を示しており、一部（図４における右側略半分）はその破断面を示したものである。この実施の形態では、上側枠部２２の上部にも目板材１（１Ｔ）が設けられるものである。目板材１は、上記と同じ構成のものが使用され、この場合、縦辺１ａは上側枠部２２の上面に水密材２９を介在させて密着固定され、少なくとも２条形成されている凸状部２は上側枠部２２の上方の外壁材１０の裏面側に当接するように配置されている。また、図示はされていないが、この場合も平板部１ｄは内壁部１８に壁下地１７を介して取り付けられた胴縁１６に密着固定されている。
【００３７】
図４（ｂ）は、上記のように上側枠部２２の上部に設けられた目板材１Ｔと、縦枠部２１の端部に設けられた目板材１Ｓとの重なり部分（図４（ａ）の破線円部分）を示している。目板材１Ｔは横辺１ｂの横辺短辺側１ｃが、目板材１Ｓの凸状部２ａに近傍する位置、若しくは当接するように延伸している。
【００３８】
上記のように上側枠部２２の上部にも目板材１Ｔを設けることにより、上側枠部２２と外壁材１０との間の隙間１５に浸入した雨水等の水は、図４（ａ）の破線矢印に沿って目板材１Ｔの排水路３の中を流れ、目板材１Ｓの排水路３へと伝わり、その後は、上記と同様に皿板水切り材５に到達し、皿板水切り材５の表面を伝って、建物外部へ排出されるものである。具体的には、目板材１Ｔの縦辺１ａ上に浸入した雨水等は、再度、建物外部に流れ返されるか、もしくは、縦辺１ａ上を左右に流れて目板材１Ｓ側に流れるものとなる。そして、雨水等が目板材１Ｓ側に流れた場合、縦辺１ａと凸状部２ａとの間の僅かな空隙に浸入し、図４（ｂ）破線矢印のように目板材１Ｓの排水路３に到達し、その後建物外部へ排出される。
【００３９】
図５は、本発明の開口部下防水構造を有する建物の一例を示す側面視断面図である。この図のように、外壁材１０とその裏面側に設けられている建築躯体６０との間には通気層８が形成されており、かつ、外壁材１０には建物外部と通気層８とを連通する通気口９、９が設けられていても良い。ここで、建築躯体６０は、例えば、内壁部１８に重ね合わせて設けられている壁下地１７等である。また、図示はしていないが、建築躯体６０と外壁材１０との間には胴縁１６（縦胴縁）が建築躯体６０の縦方向の全長に亘って配設されており、外壁材１０は、取り付け金具等により胴縁１６に取り付けられている。
【００４０】
通気層８の厚みとしては、例えば、２０〜２３ｍｍに設定することができる。
【００４１】
建物外部と通気層８とを連通するように通気口９、９が設けられることで、通気層８と外部との圧力差を小さくして屋内側に風雨が浸入することを防ぐことができ、防水性の高い外壁を形成することができるものである。すなわち、外壁材１０によって壁面に向って吹く風を受けることができ、風が外壁材１０において遮断される。このとき、屋内側の圧力が外部圧力よりも小さいと、外壁材１０の接合部分などの外壁材１０に形成された隙間において、外部からの空気の流れを吸い込みやすくなる。しかし、通気口９が設けられていることで通気層８と外部との圧力差が小さくなり等圧に近くなるために、空気の流れを吸い込みにくくすることができ、風圧を外壁材１０によって遮断することができるのである。そして、通気層８には風の力がそがれた雨水が浸入するが、この浸入した雨水は重力の作用によって外壁材１０の裏面をつたって下方に流下し、下方から外部に排出されるので、屋内側に雨水が浸入することを防ぐことができるのである。また、建築躯体６０に雨水がかかったとしても建築躯体６０には防水シートが貼着されるなどして防水加工が施されており、建築躯体６０よりも屋内側に雨水が浸入することを防ぐことができる。
【００４２】
通気層８と外部との圧力差としては、風速２０ｍ／ｓｅｃ以下において通気層８と外部との圧力差（差圧）が５０Ｐａ以下となるように通気層８を形成することが好ましい。尚、風としては、正面風（外壁材１０に垂直な風）と斜面風（上斜め４５°から外壁材１０に向って吹き降ろす風）との少なくとも一方、好ましくは両方で、上記の差圧を満たすことが好ましい。建物に対する散水加圧試験としては、ＪＩＳ  Ａ１４１４「建築構成材（パネル）およびその構造部分の性能試験、６．５  水密試験」に準じて行うことができる。
【００４３】
通気口９は、外壁材１０の見かけ面積に対する通気口９の開口面積の合計が６５ｃｍ２／ｍ２以上であるように開口が設けられる。すなわち、外壁材１０の１ｍ２に対して６５ｃｍ２以上の開口を設けるものである。ここで、外壁材１０の見かけ面積とは、外壁材１０の外周全体で形成された面積のことであり、すなわち、開口部３０で切り抜かれた部分も外壁材１０の面積として含むものである。
【００４４】
ただし、通気口９は外壁材１０の一部分に集中して設けたり、あるいは、外壁材１０に分散させて設けたりしてもよい。したがって、外壁材１０の面積をＳｍ２とした場合に通気口９の面積の合計が６５×Ｓｃｍ２以上となっていればよい。面積がこれより小さいと圧力差を小さくすることができなくなるおそれがある。開口面積の合計の上限は特に制限がなく、水仕舞いがなされていれば雨が直接入り込むことは少ないので、開口面積の合計は大きいほどよい。なお、開口面積の合計が１１０ｃｍ２／ｍ２までの範囲では確実に差圧が小さくなっていくことが実験により確認されている。
【００４５】
上記のような外壁材１０と建築躯体６０との間に通気層８を設けることで、雨水が建物外部から浸入を防ぎやすくするものであるが、仮に開口部３０の周囲の隙間１５に雨水が浸入したとしても、本発明の開口部下防水構造によって、建物外部へ排出することができるものである。従って、本発明の開口部下防水構造を有する建物では、外壁材１０と建築躯体６０との間に水が浸入しにくく、浸入したとしても効果的に外部へ雨水を排出することができるので、建築躯体等に腐食や変形等の損傷、室内側へ漏出を抑制できる。その上、シーリング材を使用するものでもないので、その効果が長期的に安定したものとなる。
【実施例】
【００４６】
以下、本発明を実施例によって具体的に説明する。
（実施例１）
図１（ｂ）に示すような構造に見立てた開口部モデルを作製し、この開口部モデルの下側に、皿板水切り材５、見切り材７を図１（ｂ）、（ｃ）に示すように設け、各寸法ａ〜ｆを表１に示すように設計し、開口部下防水構造を施工した。
【００４７】
上記試験体において、圧力５０Ｐａ、散水量４Ｌ／ｍ２・ｍｉｎ（２４０ｍｍ／ｈｒ）にて１０分間散水したところ、外壁材１０ａ裏面側への水の流れは観察されなかった。
（実施例２）
ａ〜ｆを表１に示すように設計したこと以外は実施例１と同様の方法で開口部下防水構造を施工した。
【００４８】
上記試験体において、実施例１と同条件で外壁材１０ａの裏面側への水の流れを観察したところ、外壁材１０ａ裏面側への水の流れは観察されなかった。
（実施例３）
ａ〜ｆを表１に示すように設計したこと以外は実施例１と同様の方法で開口部下防水構造を施工した。
【００４９】
上記試験体において、実施例１と同条件で外壁材１０ａの裏面側への水の流れを観察したところ、外壁材１０ａ裏面側への水の流れは観察されなかった。
（実施例４）
ａ〜ｆを表１に示すように設計したこと以外は実施例１と同様の方法で開口部下防水構造を施工した。
【００５０】
上記試験体において、実施例１と同条件で外壁材１０ａの裏面側への水の流れを観察したところ、外壁材１０ａ裏面側への水の流れは観察されなかった。
（比較例１）
皿板水切り材５を設けずに各寸法ａ〜ｆを表１に示すように設計したこと以外は実施例１と同様の方法で開口部下防水構造を施工した。
【００５１】
上記試験体において、実施例１と同条件で外壁材１０ａの裏面側への水の流れを観察したところ、外壁材１０ａ裏面側への水の流れが観察されるものであった。
（比較例２）
皿板水切り材５を設けずに各寸法ａ〜ｆを表１に示すように設計したこと以外は実施例１と同様の方法で開口部下防水構造を施工した。
【００５２】
上記試験体において、実施例１と同条件で外壁材１０ａの裏面側への水の流れを観察したところ、外壁材１０ａ裏面側への水の流れが観察されるものであった。
【００５３】
【表１】
0005792511.tif 000002
実施例１〜４及び比較例１、２との結果から、皿板水切り材５と見切り材７を両方設けた場合、外壁材１０ａの裏面側への水の流れは観察されず、防水性に優れるものであった。
【符号の説明】
【００５４】
１  目板材
１ａ  縦辺
１ｂ  横辺
２  凸状部
３  排水路
５  皿板水切り材
６  水切り板
７  見切り材
８  通気層
９  通気口
１０  外壁材
１５  隙間
２１  縦枠部
２３  下側枠部
３０  開口部
６０  建築躯体
【図１】
0005792511.tif 000003
【図２】
0005792511.tif 000004
【図３】
0005792511.tif 000005
【図４】
0005792511.tif 000006
【図５】
0005792511.tif 000007
【図６】
0005792511.tif 000008